(57)【要約】  本発明は、送信ダイバーシティ及びチャンネル選択をサポートするハイブリッド自動再送要求応答チャンネルリソースを割り当てる方法を提供する。その方法は、ユーザー端末により、２個のコンポーネントキャリアを介して基地局から物理ダウンリンク制御チャンネル情報及び物理ダウンリンク共有チャンネルデータを受信するステップと、ＵＥにより、特定指示情報に従って、送信ダイバーシティ技術を使用してＨＡＲＱ-ＡＣＫフィードバック情報を送信するために必要とされる物理アップリンク制御チャンネルチャンネルリソースを獲得するステップと、ＵＥにより、送信ダイバーシティ技術を採用して獲得されたＰＵＣＣＨチャンネルリソースでＨＡＲＱ-ＡＣＫフィードバック情報を送信するステップと、を有する。 従って、本発明は、ＵＥにＨＡＲＱ-ＡＣＫチャンネルリソースを適度に割り当て、チャンネルリソースの浪費を避けることができる。
2015517275.tif 000002
【特許請求の範囲】
【請求項１】
送信ダイバーシティ及びチャンネル選択をサポートするハイブリッド自動再送要求応答(ＨＡＲＱ-ＡＣＫ)チャンネルリソースを割り当てる方法であって、
ユーザー端末(ＵＥ)により、２個のコンポーネントキャリア(ＣＣ)を介して基地局から物理ダウンリンク制御チャンネル(ＰＤＣＣＨ)情報及び物理ダウンリンク共有チャンネル(ＰＤＳＣＨ)データを受信するステップと、
前記ＵＥにより、特定指示情報に従って、送信ダイバーシティ技術を使用してＨＡＲＱ-ＡＣＫフィードバック情報を送信するために必要とされる物理アップリンク制御チャンネル(ＰＵＣＣＨ)チャンネルリソースを獲得するステップと、
前記ＵＥにより、前記送信ダイバーシティ技術を採用して前記獲得されたＰＵＣＣＨチャンネルリソースで前記ＨＡＲＱ-ＡＣＫフィードバック情報を送信するステップと、
を有することを特徴とする方法。
【請求項２】
前記ＵＥは、前記特定指示情報によって各ＣＣの最大４個のＰＵＣＣＨ１ａ/１ｂチャンネルリソースを獲得し、チャンネル選択とＰＵＣＣＨフォーマット１ｂを用いる空間直交リソース送信ダイバーシティ(ＳＯＲＴＤ)技術を採用して前記ＨＡＲＱ-ＡＣＫフィードバック情報を送信することを特徴とする請求項１に記載の方法。
【請求項３】
前記ＵＥは、
周波数分割複信(ＦＤＤ)と、
時間分割複信(ＴＤＤ)及び前記ＣＣのダウンリンク関連集合(ＤＡＳ)に含まれているエレメントの個数が１であることと、
前記ＴＤＤと前記ＣＣのＤＡＳに含まれているエレメントの個数が２であることと、
ＴＤＤ動作方式と前記ＣＣのＤＡＳに含まれているエレメントの個数が２より大きいことのうち少なくとも一つで構成されること
を特徴とする請求項２に記載の方法。
【請求項４】
前記ＣＣが基本ＣＣであり、単一入力多重出力(ＳＩＭＯ)送信モードで構成される場合、前記ＣＣは、前記ＨＡＲＱ-ＡＣＫフィードバック情報を送信するために、ＣＨ_１及びＣＨ_２で表示される２個のＰＵＣＣＨ１ａ/１ｂチャンネルリソースを要求し、
前記特定指示情報は、基本セル(Ｐｃｅｌｌ)の前記ＰＤＳＣＨをスケジューリングするＰＤＣＣＨの最低制御チャンネルエレメント(ＣＣＥ)インデックスｎであり、
ＣＨ_１及びＣＨ_２は、ＣＣＥインデックスｎ及びｎ＋１によるマッピングにより獲得されること
を特徴とする請求項３に記載の方法。
【請求項５】
前記ＣＣが基本セル(Ｐｃｅｌｌ)であり、多重入力多重出力(ＭＩＭＯ)送信モードで構成される場合、前記ＣＣは、前記ＨＡＲＱ-ＡＣＫフィードバック情報を送信するためにＣＨ_１、ＣＨ_２、ＣＨ_３、及びＣＨ_４で表示される４個のＰＵＣＣＨ１ａ/１ｂチャンネルリソースを必要とし、
ＣＨ_１及びＣＨ_２は、前記ＰｃｅｌｌのＰＤＳＣＨをスケジューリングするＰＤＣＣＨのＣＣＥインデックスｎ及びｎ＋１によるマッピングにより獲得され、ｎは前記ＰＤＣＣＨの最低ＣＣＥインデックスであり、
ＣＨ_３及びＣＨ_４は、
前記ＰｃｅｌｌのＰＤＳＣＨをスケジューリングするＰＤＣＣＨのＣＣＥインデックスｎ＋２及びｎ＋３によりマッピングすることと、
上位階層シグナリングによって準静的に２個のＰＵＣＣＨ１ａ/１ｂチャンネルリソースを構成することと、
上位階層シグナリングによって準静的に複数のＰＵＣＣＨ１ａ/１ｂチャンネルリソースを構成し、前記Ｐｃｅｌｌのデータ送信をスケジューリングするＰＤＣＣＨに含まれているＨＡＲＱ-ＡＣＫリソースインジケータ(ＡＲＩ)によって複数のＨＡＲＱ-ＡＣＫチャンネルをマッピングすることを介して２個のＰＵＣＣＨチャンネルリソースを獲得することと、
上位階層シグナリングによって準静的に複数のＰＵＣＣＨ１ａ/１ｂチャンネルリソースを構成し、補助セル(Ｓｃｅｌｌ）のデータ送信をスケジューリングする前記ＰＤＣＣＨに含まれている前記ＡＲＩにより複数のＨＡＲＱ-ＡＣＫチャンネルをマッピングすることを介して２個のＰＵＣＣＨチャンネルリソースを獲得することのうちいずれか一つを介して獲得され、
前記ｎは前記ＰＤＣＣＨの最低ＣＣＥインデックスであること
を特徴とする請求項３に記載の方法。
【請求項６】
前記ＣＣが補助セル(Ｓｃｅｌｌ)で、ＳＩＭＯ送信モードで構成される場合、前記ＣＣは、前記ＨＡＲＱ-ＡＣＫフィードバック情報を送信するために、ＣＨ_１及びＣＨ_２で表示される２個のＰＵＣＣＨ１ａ/１ｂチャンネルリソースを必要とし、
前記ＳｃｅｌｌがＰｃｅｌｌによりスケジューリングされるクロスキャリアである場合、前記特定指示情報は、前記ＳｃｅｌｌのＰＤＳＣＨをスケジューリングするＰＤＣＣＨの最低ＣＣＥインデックスｎであり、ＣＨ_１及びＣＨ_２は、ＣＣＥインデックスｎ及びｎ＋１によるマッピングを介して獲得されること
を特徴とする請求項３に記載の方法。
【請求項７】
前記ＣＣがＳｃｅｌｌであり、ＭＩＭＯ送信モードで構成される場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、前記ＳｃｅｌｌがＰｃｅｌｌによりスケジューリングされるクロスキャリアである場合、
ＣＨ_１及びＣＨ_２は、前記ＳｃｅｌｌのＰＤＳＣＨをスケジューリングするＰＤＣＣＨのＣＣＥインデックスｎ及びｎ＋１によるマッピングを介して獲得され、ｎは前記ＰＤＣＣＨの最低ＣＣＥインデックスであり、
ＣＨ_３及びＣＨ_４は、
前記ＳｃｅｌｌのＰＤＳＣＨをスケジューリングするＰＤＣＣＨのＣＣＥインデックスｎ＋２及びｎ＋３によりマッピングすることと、
上位階層シグナリングによって準静的に２個のＰＵＣＣＨ１ａ/１ｂチャンネルリソースを構成することと、
上位階層シグナリングによって準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することのうちいずれか一つを介して獲得され、
前記ｎは、前記ＰＤＣＣＨの最低ＣＣＥインデックスであること
を特徴とする請求項３に記載の方法。
【請求項８】
前記ＣＣがＳｃｅｌｌであり、ＭＩＭＯ送信モードで構成される場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを要求し、
前記ＳｃｅｌｌがＰｃｅｌｌによりスケジューリングされるクロスキャリアである場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得されること
を特徴とする請求項３に記載の方法。
【請求項９】
前記ＣＣがＳｃｅｌｌであり、ＳＩＭＯ送信モードで構成される場合、前記ＣＣは、前記ＨＡＲＱ-ＡＣＫフィードバック情報を送信するために、ＣＨ_１及びＣＨ_２で表示される２個のＰＵＣＣＨ１ａ/１ｂチャンネルリソースを必要とし、
前記Ｓｃｅｌｌが前記Ｓｃｅｌｌ自体によりスケジューリングされる場合、ＣＨ_１及びＣＨ_２は、上位階層シグナリングによって準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することによって獲得されること
を特徴とする請求項３に記載の方法。
【請求項１０】
前記ＣＣがＳｃｅｌｌであり、ＭＩＭＯ送信モードで構成される場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
前記Ｓｃｅｌｌが前記Ｓｃｅｌｌ自体によりスケジューリングされる場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得されること
を特徴とする請求項３に記載の方法。
【請求項１１】
前記ＵＥが前記ＴＤＤで構成され、前記ＣＣのＤＡＳに含まれるエレメントの個数が１である場合、ダウンリンク割り当てインデックス(ＤＡＩ)フィールドの値がＡＲＩとなり、ＣＨ_３及びＣＨ_４のＰＵＣＣＨ１ａ/１ｂチャンネルリソースは、＜表１７＞によるマッピングを介して獲得されることを特徴とする請求項３に記載の方法。
【表１７】
2015517275.tif 000019
【請求項１２】
前記ＣＣがＰｃｅｌｌであり、ＭＩＭＯ送信モードで構成される場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
サブフレーム０及びサブフレーム１は、各々２個のＰＵＣＣＨ１ａ/１ｂチャンネルリソースを提供し、
半永久的スケジューリング(ＳＰＳ)サービスが前記サブフレームで構成される場合、ＣＨ_１のＨＡＲＱ-ＡＣＫリソースは、前記ＰＤＳＣＨをスケジューリングする前記サブフレーム０のＰＤＣＣＨの最低ＣＣＥインデックスｎにより決定され、ＣＨ_２のＨＡＲＱ-ＡＣＫリソースは、前記ＰＤＳＣＨをスケジューリングする前記サブフレーム０のＰＤＣＣＨのＣＣＥインデックスｎ＋１により決定され、ＣＨ_３のＨＡＲＱ-ＡＣＫリソースは、前記ＰＤＳＣＨをスケジューリングする前記サブフレーム１のＰＤＣＣＨの最低ＣＣＥインデックスｍにより決定され、ＣＨ_４のＨＡＲＱ-ＡＣＫリソースは、前記ＰＤＳＣＨをスケジューリングする前記サブフレーム１のＰＤＣＣＨのＣＣＥインデックスｍ＋１により決定され、
前記ＳＰＳサービスが前記サブフレームで構成される場合、前記サブフレームにより必要とされる２個のＰＵＣＣＨ１ａ/１ｂチャンネルリソースは、上位階層シグナリングにより準静的に構成される２個のＨＡＲＱ-ＡＣＫリソースであること
を特徴とする請求項３に記載の方法。
【請求項１３】
前記ＣＣがＳｃｅｌｌである場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
サブフレーム０及び１は、各々２個のＰＵＣＣＨ１ａ/１ｂチャンネルリソースを提供し、
前記ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、前記ＰＤＳＣＨをスケジューリングする前記サブフレーム０のＰＤＣＣＨの最低ＣＣＥインデックスｎにより決定され、ＣＨ_２のＨＡＲＱ-ＡＣＫリソースは、前記ＰＤＳＣＨをスケジューリングする前記サブフレーム０のＰＤＣＣＨのＣＣＥインデックスｎ＋１により決定され、ＣＨ_３のＨＡＲＱ-ＡＣＫリソースは前記ＰＤＳＣＨをスケジューリングする前記サブフレーム１のＰＤＣＣＨの最低ＣＣＥインデックスｍにより決定され、ＣＨ_４のＨＡＲＱ-ＡＣＫリソースは前記ＰＤＳＣＨをスケジューリングする前記サブフレーム１のＰＤＣＣＨのＣＣＥインデックスｍ＋１により決定され、前記最低ＣＣＥインデックスはｍである
ことを特徴とする請求項３に記載の方法。
【請求項１４】
前記ＣＣがＳｃｅｌｌである場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
前記Ｓｃｅｌｌが前記Ｓｃｅｌｌ自体によりスケジューリングされる場合、前記ＣＨ_１、ＣＨ_２、ＣＨ_３、及びＣＨ_４を獲得する方法は、上位階層シグナリングにより準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって前記複数のＨＡＲＱ-ＡＣＫチャンネルをマッピングして４個のＰＵＣＣＨ１ａ/１ｂチャンネルリソースを獲得することを含むこと
を特徴とする請求項３に記載の方法。
【請求項１５】
前記ＣＣがＰｃｅｌｌである場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
ＳＰＳサービスがセルで構成されない場合、ＣＨ_１のＨＡＲＱ-ＡＣＫリソースは、前記ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、前記ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、前記ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、前記ＰＤＳＣＨをスケジューリングするＤＡＩ＝２を有するサブフレームのＰＤＣＣＨのＣＣＥインデックスｍ＋１により決定され、
前記ＳＰＳサービスが前記サブフレームで構成される場合、２個のＨＡＲＱ-ＡＣＫリソースは、前記ＳＰＳサービスに対する上位階層によって準静的に構成され、ＣＨ_１は、前記ＳＰＳサービスに対して前記上位階層によって準静的に構成された第１のＨＡＲＱ-ＡＣＫリソースであり、ＣＨ_２は、前記ＳＰＳサービスに対して前記上位階層によって準静的に構成された第２のＨＡＲＱ-ＡＣＫリソースであり、
ＣＨ_３のＨＡＲＱ-ＡＣＫリソースは、前記ＰＤＳＣＨをスケジューリングするＤＡＩ＝１を有するサブフレームのＰＤＣＣＨの最低ＣＣＥインデックスｎにより決定され、ＣＨ_４のＨＡＲＱ-ＡＣＫリソースは、前記ＰＤＳＣＨをスケジューリングするＤＡＩ＝１を有するサブフレームのＰＤＣＣＨのＣＣＥインデックスｎ＋１により決定されること
を特徴とする請求項３に記載の方法。
【請求項１６】
前記ＣＣがＳｃｅｌｌである場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、
前記ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、前記ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、前記ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、前記ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、前記ＰＤＳＣＨをスケジューリングするＤＡＩ＝２を有するサブフレームのＰＤＣＣＨのＣＣＥインデックスｍ＋１により決定されること
を特徴とする請求項３に記載の方法。
【請求項１７】
前記ＣＣがＳｃｅｌｌである場合、前記ＣＣは、前記ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを要求し、
前記Ｓｃｅｌｌが前記Ｓｃｅｌｌ自体によりスケジューリングされる場合、前記ＣＨ_１、ＣＨ_２、ＣＨ_３、及びＣＨ_４を獲得する方法は、上位階層シグナリングにより準静的に複数のＰＵＣＣＨ１ａ/１ｂチャンネルリソースを構成し、前記ＳｃｅｌｌのＰＤＳＣＨをスケジューリングするＰＤＣＣＨに含まれているＡＲＩによって前記複数のＨＡＲＱ-ＡＣＫチャンネルをマッピングすることによって４個のＰＵＣＣＨ１ａ/１ｂチャンネルリソースを獲得すること
を特徴とする請求項３に記載の方法。
【請求項１８】
送信ダイバーシティ及びチャンネル選択をサポートするハイブリッド自動再送要求応答(ＨＡＲＱ-ＡＣＫ)チャンネルリソースを割り当てる装置であって、
受信器と、制御器と、送信器とを含み、
前記以前の請求項のうちいずれか一つに定義される方法を遂行するように配列されること
を特徴とする装置。
【発明の詳細な説明】
【技術分野】
【０００１】
本発明は無線通信技術に関するもので、特に送信ダイバーシティ及びチャンネル選択をサポートするＨＡＲＱ-ＡＣＫチャンネルリソースを割り当てる方法及び装置に関する。
【背景技術】
【０００２】
現在、ＬＴＥ(Long-Term  Evolution)システムの最大送信帯域幅は、２０ＭＨｚである。この最大送信帯域幅は、高いデータレートの要求事項を満足させることができない。現在、ユーザーの送信レートを増加させるために、ＬＴＥ-Ａｄｖａｎｃｅｄが、ＬＴＥに基づいて提案されている。ＬＴＥ-Ａシステムにおいて、複数のコンポーネントキャリア(ＣＣ)は、より高い送信レートをサポートするために、より広い帯域幅を獲得し、通信システムのアップリンク及びダウンリンクを形成するようにアグリゲート(aggregate)される。この技術は、キャリアアグリゲーション(Carrier  Aggregation：ＣＡ)と称される。例えば、１００ＭＨｚ帯域幅をサポートするために、５個の２０ＭＨｚのＣＣが、アグリゲートされる。ここで、各ＣＣは、セルとして称される。
【０００３】
基地局により構成される複数のダウンリンクＣＣのうち、一つは基本セル(Primary cell：Ｐｃｅｌｌ)であり、残りは補助セル(Secondary cell：Ｓｃｅｌｌ)である。基地局は、ＵＥが上位階層シグナリングを介して複数のセルのダウンリンクデータを受信するように構成される。一つのサブフレームでスケジューリングされるセルの個数は、上位階層により構成されるセルの個数より小さいかあるいは等しい。例えば、図１において、４個のセルは、各々セル１〜セル４で構成される。基地局は、１個のセル、すなわちセル１のみをスケジューリングする。他の実施形態で、図２において、４個のセルは、各々セル１〜セル４で構成される。基地局は、３個のセル、すなわちセル１、セル２、及びセル３をスケジューリングする。ここで、１個のダウンリンクセルのデータ送信は、他のセルで送信される物理ダウンリンク制御チャンネル(Physical  Downlink  Control  Channel：ＰＤＣＣＨ)によりスケジューリングできる。この方法は、クロスキャリアスケジューリング(cross-carrier  scheduling)と称される。あるいは、１個のダウンリンクセルのデータ送信は、このセルのＰＤＣＣＨによりスケジューリングできる。この方法は、非クロスキャリアスケジューリング(non  cross-carrier  scheduling)として称される。
【０００４】
ＣＡ技術に基づき、基地局は、複数のセルで同一のＵＥにダウンリンクデータを送信する。したがって、ＵＥは、複数のセルで送信されるダウンリンクデータのＨＡＲＱ-ＡＣＫ情報をフィードバックする必要がある。ＬＴＥ-Ａの議論結果によれば、セルでのデータ送信のＨＡＲＱ-ＡＣＫフィードバック情報は、１個のアップリンクセル(すなわち、アップリンクＰｃｅｌｌ)で送信される。複数のＨＡＲＱ-ＡＣＫフィードバックビットの送信をサポートするために、チャンネル選択による方法は、ＬＴＥ-Ａで採用されて最大４個のＨＡＲＱ-ＡＣＫフィードバックビットをサポートする。この方法は、ＬＴＥ  ＴＤＤシステムで使用される。非送信ダイバーシティのチャンネル選択の場合に、割り当てられるＨＡＲＱ-ＡＣＫリソースの個数は、ＨＡＲＱ-ＡＣＫフィードバックビットの個数と同一である。
【０００５】
ＬＴＥ-Ａの検討結果によれば、ＬＴＥ-Ａ  ＦＤＤシステムにおいて、チャンネル選択方法は、事実上最大２個のセルをサポートし、各セルは、一つ又は２個のＨＡＲＱ-ＡＣＫフィードバックビットをフィードバックすることができる。ここで、空間直交リソース送信ダイバーシティ(Spatial  Orthogonal  Resource  Transmit  Diversity：ＳＯＲＴＤ)が送信ダイバーシティをサポートするために採用されない場合に、ＨＡＲＱ-ＡＣＫチャンネルリソースを割り当てる方法は、次の通りである。
【０００６】
ダウンリンクＰｃｅｌｌに対して、ＰｃｅｌｌのＨＡＲＱ-ＡＣＫフィードバック情報により使用されるＨＡＲＱ-ＡＣＫチャンネルは、暗示的方法を介してＰＤＣＣＨの制御チャンネルエレメント(Control  Channel  Element:ＣＣＥ)インデックスによって決定される。
【０００７】
ダウンリンクＳｃｅｌｌに対して、クロスキャリアスケジューリングが採用されない場合、ＳｃｅｌｌのＨＡＲＱ-ＡＣＫフィードバック情報により使用されるＨＡＲＱ-ＡＣＫチャンネルは、ＳｃｅｌｌをスケジューリングするＰＤＣＣＨのＨＡＲＱ-ＡＣＫリソースインジケータ(ＡＲＩ)により決定される。ＳｃｅｌｌがＰｃｅｌｌのＰＤＣＣＨからスケジューリングされるクロスキャリアである場合、ＳｃｅｌｌのＨＡＲＱ-ＡＣＫ情報により使用されるＨＡＲＱ-ＡＣＫチャンネルは、ＰＤＣＣＨのＣＣＥインデックスによって暗示的方法を介して決定される。
【０００８】
セルが単一入力多重出力(Single  Input  Multiple  Output：ＳＩＭＯ)送信モードで構成される場合、セルの１個の送信ブロック(ＴＢ)に関する１個のＨＡＲＱ-ＡＣＫをフィードバックすることのみが要求されるため、一つのＨＡＲＱ-ＡＣＫチャンネルは、割り当てられる必要がある。したがって、セルが多重入力多重出力(Multiple  Input  Multiple  Output：ＭＩＭＯ)送信モードで構成される場合、２個のＨＡＲＱ-ＡＣＫは、セルの２個のＴＢに関してフィードバックされる必要がある。したがって、２個のＨＡＲＱ-ＡＣＫチャンネルは、割り当てられる必要がある。
【発明の概要】
【発明が解決しようとする課題】
【０００９】
暗示的方法を介してＨＡＲＱ-ＡＣＫチャンネルを割り当てる状況に対して、１個のセルのＨＡＲＱ-ＡＣＫ情報により使用されるＨＡＲＱ-ＡＣＫチャンネルは、セルのデータ送信をスケジューリングするＰＤＣＣＨを介して獲得される。特に、ＰＤＣＣＨの第１のＣＣＥのインデックスは、ｎCCEのように表現される。１個のＨＡＲＱ-ＡＣＫチャンネルが割り当てられる必要がある場合、ＨＡＲＱ-ＡＣＫチャンネルは、第１のＣＣＥのインデックスｎCCEによりマッピングされ得る。２個のＨＡＲＱ-ＡＣＫチャンネルが割り当てられる必要がある場合、２個のＨＡＲＱ-ＡＣＫチャンネルは、第１のＣＣＥインデックスｎCCE及び第２のＣＣＥインデックスｎCCE＋１によりマッピングできる。
【００１０】
その上、現在論議されている結果によると、ＵＥが１個のセルのみで構成される場合に、ＳＯＲＴＤ方法は、送信ダイバーシティをサポートするために採用される。すなわち、２個のＨＡＲＱ-ＡＣＫチャンネルはＵＥに割り当てられ、２個の送信アンテナは、各々異なるチャンネルを用いて同一のＨＡＲＱ-ＡＣＫフィードバック情報を反復して送信する。受信器は、２個のチャンネルから信号を受信し、最大比率結合(Maximum  Ratio  Combination：ＭＲＣ)を遂行して最適のダイバーシティ効果を獲得する。ここで、ＰＤＣＣＨの最低ＣＣＥインデックスは、ｎで表示される。２個のＨＡＲＱ-ＡＣＫチャンネルは、ＣＣＥインデックスｎ及びｎ＋１に基づいて暗示的方法を介して獲得される。チャンネル選択に基づいて２個のＣＣのＨＡＲＱ-ＡＣＫフィードバック情報を送信する方法に対応するように、送信ダイバーシティがサポートされる必要がある場合、ＳＯＲＴＤ技術は、また採用され得る。このとき、Ｍ個のＨＡＲＱ-ＡＣＫビットをフィードバックするために、必要となるＨＡＲＱ-ＡＣＫチャンネルの個数は、２Ｍである。ここで、Ｍ＝２，３，又は４である。しかしながら、現在は、２Ｍ個のＨＡＲＱ-ＡＣＫチャンネルリソースを割り当てる方法に対する適合した解決方式が存在せず、ＨＡＲＱ-ＡＣＫチャンネルリソースは、ＨＡＲＱ-ＡＣＫフィードバック情報の送信に使用されるＰＵＣＣＨチャンネルリソースを表す。
【課題を解決するための手段】
【００１１】
本発明の実施形態では、チャンネル選択及びＳＯＲＴＤ技術がサポートされる前提でＵＥに対してＨＡＲＱ-ＡＣＫチャンネルリソースを割り当てるために、送信ダイバーシティ及びチャンネル選択をサポートするＨＡＲＱ-ＡＣＫチャンネルリソースを割り当てる方法を提供する。
【００１２】
上記のような目的を達成するために、本発明の一態様によれば、送信ダイバーシティ及びチャンネル選択をサポートするハイブリッド自動再送要求応答(ＨＡＲＱ-ＡＣＫ)チャンネルリソースを割り当てる方法が提供される。その方法は、ユーザー端末(ＵＥ)により、２個のコンポーネントキャリア(ＣＣ)を介して基地局から物理ダウンリンク制御チャンネル(ＰＤＣＣＨ)情報及び物理ダウンリンク共有チャンネル(ＰＤＳＣＨ)データを受信するステップと、ＵＥにより、特定指示情報に従って、送信ダイバーシティ技術を使用してＨＡＲＱ-ＡＣＫフィードバック情報を送信するために必要とされる物理アップリンク制御チャンネル(ＰＵＣＣＨ)チャンネルリソースを獲得するステップと、ＵＥにより、送信ダイバーシティ技術を採用して獲得されたＰＵＣＣＨチャンネルリソースでＨＡＲＱ-ＡＣＫフィードバック情報を送信するステップと、を有する。
【００１３】
望ましくは、ＵＥは、特定指示情報によって各ＣＣの最大４個のＰＵＣＣＨ１ａ/１ｂチャンネルリソースを獲得し、チャンネル選択とＰＵＣＣＨフォーマット１ｂを用いる空間直交リソース送信ダイバーシティ(ＳＯＲＴＤ)技術を採用してＨＡＲＱ-ＡＣＫフィードバック情報を送信する。
【００１４】
望ましくは、ＵＥは、周波数分割複信(Frequency  Division  Duplexing：ＦＤＤ)で構成される。
【００１５】
望ましくは、ＣＣが基本ＣＣであり、単一入力多重出力(ＳＩＭＯ)送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを要求し、特定指示情報は、基本セル(Ｐｃｅｌｌ)のＰＤＳＣＨをスケジューリングするＰＤＣＣＨの最低制御チャンネルエレメント(ＣＣＥ)インデックスｎであり、ＣＨ_１及びＣＨ_２は、ＣＣＥインデックスｎ及びｎ＋１によるマッピングにより獲得される。
【００１６】
望ましくは、ＣＣが基本セル(Ｐｃｅｌｌ)であり、多重入力多重出力(ＭＩＭＯ)送信モードで構成される場合、ＣＣは、ＨＡＲＱ-ＡＣＫフィードバック情報を送信するためにＣＨ_１、ＣＨ_２、ＣＨ_３、及びＣＨ_４で表示される４個のＰＵＣＣＨ１ａ/１ｂチャンネルリソースを必要とし、ＣＨ_１及びＣＨ_２は、ＰｃｅｌｌのＰＤＳＣＨをスケジューリングするＰＤＣＣＨのＣＣＥインデックスｎ及びｎ＋１によるマッピングにより獲得され、ｎはＰＤＣＣＨの最低ＣＣＥインデックスであり、ＣＨ_３及びＣＨ_４は、ＰｃｅｌｌのＰＤＳＣＨをスケジューリングするＰＤＣＣＨのＣＣＥインデックスｎ＋２及びｎ＋３によりマッピングすることと、上位階層シグナリングによって準静的に２個のＰＵＣＣＨ１ａ/１ｂチャンネルリソースを構成することと、上位階層シグナリングによって準静的に複数のＰＵＣＣＨ１ａ/１ｂチャンネルリソースを構成し、Ｐｃｅｌｌのデータ送信をスケジューリングするＰＤＣＣＨに含まれているＨＡＲＱ-ＡＣＫリソースインジケータ(ＡＲＩ)によって複数のＨＡＲＱ-ＡＣＫチャンネルをマッピングすることを介して２個のＰＵＣＣＨチャンネルリソースを獲得することと、上位階層シグナリングによって準静的に複数のＰＵＣＣＨ１ａ/１ｂチャンネルリソースを構成し、補助セル(Ｓｃｅｌｌ）のデータ送信をスケジューリングするＰＤＣＣＨに含まれているＡＲＩにより複数のＨＡＲＱ-ＡＣＫチャンネルをマッピングすることを介して２個のＰＵＣＣＨチャンネルリソースを獲得することのうちいずれか一つを介して獲得され、ｎはＰＤＣＣＨの最低ＣＣＥインデックスである。
【００１７】
望ましくは、ＣＣが補助セル(Ｓｃｅｌｌ)で、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とし、ＳｃｅｌｌがＰｃｅｌｌによりスケジューリングされるクロスキャリアである場合、特定指示情報は、ＳｃｅｌｌのＰＤＳＣＨをスケジューリングするＰＤＣＣＨの最低ＣＣＥインデックスｎであり、ＣＨ_１及びＣＨ_２は、ＣＣＥインデックスｎ及びｎ＋１によるマッピングを介して獲得される。
【００１８】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＰｃｅｌｌによりスケジューリングされるクロスキャリアである場合、ＣＨ_１及びＣＨ_２は、ＳｃｅｌｌのＰＤＳＣＨをスケジューリングするＰＤＣＣＨのＣＣＥインデックスｎ及びｎ＋１によるマッピングを介して獲得され、ｎはＰＤＣＣＨの最低ＣＣＥインデックスであり、ＣＨ_３及びＣＨ_４は、ＳｃｅｌｌのＰＤＳＣＨをスケジューリングするＰＤＣＣＨのＣＣＥインデックスｎ＋２及びｎ＋３によりマッピングすることと、上位階層シグナリングによって準静的に２個のＰＵＣＣＨ１ａ/１ｂチャンネルリソースを構成することと、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することのうちいずれか一つを介して獲得され、ｎは、ＰＤＣＣＨの最低ＣＣＥインデックスである。
【００１９】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを要求し、ＳｃｅｌｌがＰｃｅｌｌによりスケジューリングされるクロスキャリアである場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得される。
【００２０】
望ましくは、ＣＣがＳｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とし、ＳｃｅｌｌがＳｃｅｌｌ自体によりスケジューリングされる場合、ＣＨ_１及びＣＨ_２は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することによって獲得される。
【００２１】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＳｃｅｌｌ自体によりスケジューリングされる場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得される。
【００２２】
望ましくは、ＵＥは時間分割複信(ＴＤＤ)で構成され、ＣＣのダウンリンク関連集合(Downlink  Association  Set：ＤＡＳ)に含まれているエレメントの個数は１である。
【００２３】
望ましくは、ＣＣが基本ＣＣであり、単一入力多重出力(ＳＩＭＯ)送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを要求し、特定指示情報は、基本セル(Ｐｃｅｌｌ)のＰＤＳＣＨをスケジューリングするＰＤＣＣＨの最低制御チャンネルエレメント(ＣＣＥ)インデックスｎであり、ＣＨ_１及びＣＨ_２は、ＣＣＥインデックスｎ及びｎ＋１によるマッピングにより獲得される。
【００２４】
望ましくは、ＣＣが基本セル(Ｐｃｅｌｌ)であり、多重入力多重出力(ＭＩＭＯ)送信モードで構成される場合、ＣＣは、ＨＡＲＱ-ＡＣＫフィードバック情報を送信するためにＣＨ_１、ＣＨ_２、ＣＨ_３、及びＣＨ_４で表示される４個のＰＵＣＣＨ１ａ/１ｂチャンネルリソースを必要とし、ＣＨ_１及びＣＨ_２は、ＰｃｅｌｌのＰＤＳＣＨをスケジューリングするＰＤＣＣＨのＣＣＥインデックスｎ及びｎ＋１によるマッピングにより獲得され、ｎはＰＤＣＣＨの最低ＣＣＥインデックスであり、ＣＨ_３及びＣＨ_４は、ＰｃｅｌｌのＰＤＳＣＨをスケジューリングするＰＤＣＣＨのＣＣＥインデックスｎ＋２及びｎ＋３によりマッピングすることと、上位階層シグナリングによって準静的に２個のＰＵＣＣＨ１ａ/１ｂチャンネルリソースを構成することと、上位階層シグナリングによって準静的に複数のＰＵＣＣＨ１ａ/１ｂチャンネルリソースを構成し、Ｐｃｅｌｌのデータ送信をスケジューリングするＰＤＣＣＨに含まれているＨＡＲＱ-ＡＣＫリソースインジケータ(ＡＲＩ)によって複数のＨＡＲＱ-ＡＣＫチャンネルをマッピングすることを介して２個のＰＵＣＣＨチャンネルリソースを獲得することと、上位階層シグナリングによって準静的に複数のＰＵＣＣＨ１ａ/１ｂチャンネルリソースを構成し、補助セル(Ｓｃｅｌｌ）のデータ送信をスケジューリングするＰＤＣＣＨに含まれているＡＲＩにより複数のＨＡＲＱ-ＡＣＫチャンネルをマッピングすることを介して２個のＰＵＣＣＨチャンネルリソースを獲得することのうちいずれか一つを介して獲得され、ｎはＰＤＣＣＨの最低ＣＣＥインデックスである。
【００２５】
望ましくは、ＵＥがＴＤＤで構成され、ＣＣのＤＡＳに含まれるエレメントの個数が１である場合、ダウンリンク割り当てインデックス(ＤＡＩ)フィールドの値がＡＲＩとなり、ＣＨ_３及びＣＨ_４のＰＵＣＣＨ１ａ/１ｂチャンネルリソースは、＜表１＞によるマッピングを介して獲得される。
【００２６】
【表１】
2015517275.tif 000003
【００２７】
望ましくは、ＣＣが補助セル(Ｓｃｅｌｌ)で、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とし、ＳｃｅｌｌがＰｃｅｌｌによりスケジューリングされるクロスキャリアである場合、特定指示情報は、ＳｃｅｌｌのＰＤＳＣＨをスケジューリングするＰＤＣＣＨの最低ＣＣＥインデックスｎであり、ＣＨ_１及びＣＨ_２は、ＣＣＥインデックスｎ及びｎ＋１によるマッピングを介して獲得される。
【００２８】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＰｃｅｌｌによりスケジューリングされるクロスキャリアである場合、ＣＨ_１及びＣＨ_２は、ＳｃｅｌｌのＰＤＳＣＨをスケジューリングするＰＤＣＣＨのＣＣＥインデックスｎ及びｎ＋１によるマッピングを介して獲得され、ｎはＰＤＣＣＨの最低ＣＣＥインデックスであり、ＣＨ_３及びＣＨ_４は、ＳｃｅｌｌのＰＤＳＣＨをスケジューリングするＰＤＣＣＨのＣＣＥインデックスｎ＋２及びｎ＋３によりマッピングすることと、上位階層シグナリングによって準静的に２個のＰＵＣＣＨ１ａ/１ｂチャンネルリソースを構成することと、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することのうちいずれか一つを介して獲得され、ｎは、ＰＤＣＣＨの最低ＣＣＥインデックスである。
【００２９】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＳｃｅｌｌ自身によりスケジューリングされる場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得される。
【００３０】
望ましくは、ＣＣがＳｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とし、ＳｃｅｌｌがＳｃｅｌｌ自体によりスケジューリングされる場合、ＣＨ_１及びＣＨ_２は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得することによって獲得される。
【００３１】
望ましくは、ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＳｃｅｌｌ自体によりスケジューリングされる場合、ＣＨ_１、ＣＨ_２、ＣＨ_３、及びＣＨ_４は、上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得することによって獲得される。
【００３２】
望ましくは、ＵＥは時間分割複信(ＴＤＤ)で構成され、ＣＣのダウンリンク関連集合(ＤＡＳ)に含まれているエレメントの個数は２である。
【００３３】
望ましくは、ＣＣがＰｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、サブフレーム０及びサブフレーム１は、各々２個のＰＵＣＣＨ１ａ/１ｂチャンネルリソースを提供し、半永久的スケジューリング(ＳＰＳ)サービスがサブフレームで構成される場合、ＣＨ_１のＨＡＲＱ-ＡＣＫリソースは、ＰＤＳＣＨをスケジューリングするサブフレーム０のＰＤＣＣＨの最低ＣＣＥインデックスｎにより決定され、ＣＨ_２のＨＡＲＱ-ＡＣＫリソースは、ＰＤＳＣＨをスケジューリングするサブフレーム０のＰＤＣＣＨのＣＣＥインデックスｎ＋１により決定され、ＣＨ_３のＨＡＲＱ-ＡＣＫリソースは、ＰＤＳＣＨをスケジューリングするサブフレーム１のＰＤＣＣＨの最低ＣＣＥインデックスｍにより決定され、ＣＨ_４のＨＡＲＱ-ＡＣＫリソースは、ＰＤＳＣＨをスケジューリングするサブフレーム１のＰＤＣＣＨのＣＣＥインデックスｍ＋１により決定され、ＳＰＳサービスがサブフレームで構成される場合、サブフレームにより必要とされる２個のＰＵＣＣＨ１ａ/１ｂチャンネルリソースは、上位階層シグナリングにより準静的に構成される２個のＨＡＲＱ-ＡＣＫリソースである。
【００３４】
望ましくは、ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、サブフレーム０及び１は、各々２個のＰＵＣＣＨ１ａ/１ｂチャンネルリソースを提供し、ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするサブフレーム０のＰＤＣＣＨの最低ＣＣＥインデックスｎにより決定され、ＣＨ_２のＨＡＲＱ-ＡＣＫリソースは、ＰＤＳＣＨをスケジューリングするサブフレーム０のＰＤＣＣＨのＣＣＥインデックスｎ＋１により決定され、ＣＨ_３のＨＡＲＱ-ＡＣＫリソースはＰＤＳＣＨをスケジューリングするサブフレーム１のＰＤＣＣＨの最低ＣＣＥインデックスｍにより決定され、ＣＨ_４のＨＡＲＱ-ＡＣＫリソースはＰＤＳＣＨをスケジューリングするサブフレーム１のＰＤＣＣＨのＣＣＥインデックスｍ＋１により決定され、最低ＣＣＥインデックスはｎである。
【００３５】
望ましくは、ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌがＳｃｅｌｌ自体によりスケジューリングされる場合、ＣＨ_１、ＣＨ_２、ＣＨ_３、及びＣＨ_４を獲得する方法は、上位階層シグナリングにより準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングして４個のＰＵＣＣＨ１ａ/１ｂチャンネルリソースを獲得することを含む。
【００３６】
望ましくは、ＵＥはＴＤＤで構成され、ＣＣのＤＡＳに含まれているエレメントの個数は２より大きい。
【００３７】
望ましくは、ＣＣがＰｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳＰＳサービスがセルで構成されない場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、ＰＤＳＣＨをスケジューリングするＤＡＩ＝２を有するサブフレームのＰＤＣＣＨのＣＣＥインデックスｍ＋１により決定され、ＳＰＳサービスがサブフレームで構成される場合、２個のＨＡＲＱ-ＡＣＫリソースは、ＳＰＳサービスに対する上位階層によって準静的に構成され、ＣＨ_１は、ＳＰＳサービスに対して上位階層によって準静的に構成された第１のＨＡＲＱ-ＡＣＫリソースであり、ＣＨ_２は、ＳＰＳサービスに対して上位階層によって準静的に構成された第２のＨＡＲＱ-ＡＣＫリソースであり、ＣＨ_３のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_４のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定される。
【００３８】
望ましくは、ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、ＰＤＳＣＨをスケジューリングするＤＡＩ＝２を有するサブフレームのＰＤＣＣＨのＣＣＥインデックスｍ＋１により決定される。
【００３９】
望ましくは、ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを要求し、ＳｃｅｌｌがＳｃｅｌｌ自体によりスケジューリングされる場合、ＣＨ_１、ＣＨ_２、ＣＨ_３、及びＣＨ_４を獲得する方法は、上位階層シグナリングにより準静的に複数のＰＵＣＣＨ１ａ/１ｂチャンネルリソースを構成するステップと、ＳｃｅｌｌのＰＤＳＣＨをスケジューリングするＰＤＣＣＨに含まれているＡＲＩによって複数のＨＡＲＱ-ＡＣＫチャンネルをマッピングすることによって４個のＰＵＣＣＨ１ａ/１ｂチャンネルリソースを獲得するステップと、を含む。
【００４０】
上記のような技術に基づき、本発明は、上記実施形態によるＨＡＲＱ-ＡＣＫチャンネルリソースの割り当て方法により、チャンネル選択及びＳＯＲＴＤ技術がサポートされる前提で、ＵＥにＨＡＲＱ-ＡＣＫチャンネルリソースを適度に割り当て、チャンネルリソースの浪費を避けることができる。
【図面の簡単な説明】
【００４１】
【図１】従来技術に基づく基地局による１個のセルのスケジューリングを示す概略図である。
【図２】従来技術に基づく基地局による３個のセルのスケジューリングを示す概略図である。
【図３】本発明の一実施形態により、送信ダイバーシティ及びチャンネル選択をサポートするＨＡＲＱ-ＡＣＫチャンネルリソースを割り当てる方法を示すフローチャートである。
【図４】本発明の望ましい一実施形態によるＵＥ装置を示す図である。
【図５】本発明の望ましい一実施形態によるＮｏｄｅ Ｂ装置を示す図である。
【発明を実施するための形態】
【００４２】
以下、本発明の望ましい実施形態は、その目的、技術的解決方式、及びその利点をより明確にするために添付の図面を参照してより具体的に説明する。
【００４３】
上記したような技術的問題を解決するために、本発明の一実施形態では、ＨＡＲＱ-ＡＣＫフィードバック情報がチャンネル選択に基づいて送信され、ＳＯＲＴＤ技術が使用されて送信ダイバーシティをサポートする場合、ＨＡＲＱ-ＡＣＫチャンネルリソースを割り当てる方法を提供する。上記方法を介して、ＳＯＲＴＤ技術により占有されるリソースを、可能な限り少なくすることが保証される。
【００４４】
以下、２個の送信アンテナについて後述する。ここで、各アンテナは、物理送信アンテナでもよく、複数の物理アンテナの信号により構成されてもよい。例えば、４個の物理アンテナで構成されるＵＥに対して、２アンテナ送信ダイバーシティをサポートするために、各アンテナは、２個の物理アンテナで構成することができる。ＳＯＲＴＤが採用されない場合に、ＨＡＲＱ-ＡＣＫフィードバックビットの個数がＭである場合、Ｍ個のＨＡＲＱ-ＡＣＫチャンネルが割り当てられる必要がある。したがって、ＳＯＲＴＤが採用される場合、２Ｍ個のＨＡＲＱ-ＡＣＫチャンネルが割り当てられる必要があり、２個のグループに分割される必要があり、各グループは、Ｍ個のチャンネルを含む。したがって、各アンテナは、１個のグループのＭ個のＨＡＲＱ-ＡＣＫチャンネルから使用する１個のチャンネルを選択する。上記指定を簡略化するために、２個のアンテナは、ＳＯＲＴＤが採用されない場合と同一のチャンネル選択マッピング表を同一に採用すると仮定する。
【００４５】
送信ダイバーシティ及びチャンネル選択をサポートするＨＡＲＱ-ＡＣＫチャンネルリソースを割り当てる方法は、図３に示す。上記方法は、次のステップを含む。
【００４６】
ステップ３０１において、ＵＥは、２個のＣＣを介して基地局により送信された物理ダウンリンク制御チャンネル(Physical  Downlink  Control  Channel：ＰＤＣＣＨ)情報及び物理ダウンリンク共有チャンネル(Physical  Downlink  Shared  Channel：ＰＤＳＣＨ)データを受信する。
【００４７】
ステップ３０２において、ＵＥは、特定指示情報によって送信ダイバーシティ技術(例えば、ＳＯＲＴＤ技術)に基づいてＨＡＲＱ-ＡＣＫフィードバック情報を送信するために使用されるＰＵＣＣＨチャンネルリソースを獲得する。
【００４８】
ステップ３０３において、ＵＥは、獲得されたＰＵＣＣＨチャンネルリソースで送信ダイバーシティ技術に基づいて基地局にＨＡＲＱ-ＡＣＫフィードバック情報を送信する。
【００４９】
すると、図３に示したフローが終了する。
【００５０】
ステップ３０２に対して、次のようなケースが存在する。
【００５１】
ケース１：
ＵＥがＦＤＤで構成される場合、ＵＥは、特定指示情報に従って各ＣＣの最大４個のＰＵＣＣＨ１ａ/１ｂチャンネルリソースを獲得する。ＨＡＲＱ-ＡＣＫフィードバック情報は、ＳＯＲＴＤ技術に基づいてチャンネル選択を有するＰＵＣＣＨフォーマット１ｂを用いて送信される。
【００５２】
ケース１-１：
ＣＣがＰｃｅｌｌであり、単一入力多重出力(Single  Input  Multiple  Output：ＳＩＭＯ)送信モードで構成される場合、ＣＣは、ＨＡＲＱ-ＡＣＫフィードバック情報を送信するために、ＣＨ_１、ＣＨ_２で表示される２個のＰＵＣＣＨ１ａ/１ｂチャンネルリソースを必要とする。このとき、特定指示情報は、ＣＣのＰＤＳＣＨをスケジューリングするＰＤＣＣＨの最低ＣＣＥインデックスｎを表す。ＣＨ_１及びＣＨ_２は、ＣＣＥインデックスｎ及びｎ＋１によるマッピングを介して獲得することができる。
【００５３】
ケース１-２：
ＣＣがＰｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とし、ここで、ＣＨ_１及びＣＨ_２は、ＣＣのＰＤＳＣＨをスケジューリングするＰＤＣＣＨのＣＣＥインデックスｎ及びｎ＋１によるマッピングを介して獲得し、ｎは、ＰＤＣＣＨの最低ＣＣＥインデックスであり、ＣＨ_３及びＣＨ_４は、次のような４つの方法のうちいずれか一つによって獲得することができる。
【００５４】
方法１：ＣＨ_３及びＣＨ_４は、ＣＣのＰＤＳＣＨをスケジューリングするＰＤＣＣＨのＣＣＥインデックスｎ＋２及びｎ＋３によるマッピングを介して獲得され、ここで、ｎは、ＰＤＣＣＨの最低ＣＣＥインデックスである。
【００５５】
方法２：上位階層シグナリングによって準静的に２個のＰＵＣＣＨ１ａ/１ｂチャンネルリソースを構成する。
【００５６】
方法３：上位階層シグナリングによって準静的に複数のＰＵＣＣＨ１ａ/１ｂチャンネルリソースを構成し、Ｐｃｅｌｌのデータ送信をスケジューリングするＰＤＣＣＨのＨＡＲＱ-ＡＣＫリソースインジケータ(HARQ-ACK  Resource  Indicator：ＡＲＩ)によって複数のＨＡＲＱ-ＡＣＫチャンネルをマッピングすることで、２個のＰＵＣＣＨ１ａ/１ｂチャンネルリソースを獲得する。
【００５７】
方法４：上位階層シグナリングによって準静的に複数のＰＵＣＣＨ１ａ/１ｂチャンネルリソースを構成し、ＳｃｅｌｌをスケジューリングするＰＤＣＣＨのＡＲＩによって複数のＨＡＲＱ-ＡＣＫチャンネルをマッピングすることにより、２個のＰＵＣＣＨ１ａ/１ｂチャンネルリソースを獲得する。
【００５８】
ケース１-３：
ＣＣがＳｃｅｌｌであり、ＳＩＭＯ送信モードで構成される場合、ＣＣは、ＨＡＲＱ-ＡＣＫフィードバック情報を送信するために、ＣＨ_１、ＣＨ_２で表示される２個のＰＵＣＣＨ１ａ/１ｂチャンネルリソースを必要とする。ＳｃｅｌｌがＰｃｅｌｌによりスケジューリングされるクロスキャリアである場合、ＣＨ_１及びＣＨ_２は、ＰＤＳＣＨをスケジューリングするＰＤＣＣＨのＣＣＥインデックスｎ及びｎ＋１によるマッピングに従って獲得される。ここで、ｎは、ＰＤＣＣＨの最低ＣＣＥインデックスである。
【００５９】
ケース１-４：
ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。
【００６０】
ＳｃｅｌｌがＰｃｅｌｌによりスケジューリングされるクロスキャリアである場合、ＣＨ_１及びＣＨ_２は、ＰＤＳＣＨをスケジューリングするＰＤＣＣＨのＣＣＥインデックスｎ及びｎ＋１によるマッピングに従って獲得される。ここで、ｎはＰＤＣＣＨの最低ＣＣＥインデックスである。ＣＨ_３及びＣＨ_４は、次のような３つの方法のうちいずれか一つによって獲得される。
【００６１】
方法１：ＣＨ_３及びＣＨ_４は、ＣＣのＰＤＳＣＨをスケジューリングするＰＤＣＣＨのＣＣＥインデックスｎ＋２及びｎ＋３によるマッピングに従って獲得される。ここで、ｎは、ＰＤＣＣＨの最低ＣＣＥインデックスである。
【００６２】
方法２：上位階層シグナリングによって準静的に２個のＰＵＣＣＨ１ａ/１ｂチャンネルリソースを構成する。
【００６３】
方法３：上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることにより、２個のＰＵＣＣＨ１ａ/１ｂチャンネルリソースを獲得する。
【００６４】
ＳｃｅｌｌがＰｃｅｌｌによりスケジューリングされるクロスキャリアである場合、ＣＨ_１、ＣＨ_２、ＣＨ_３、及びＣＨ_４を獲得する他の方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることで、４個のＰＵＣＣＨ１ａ/１ｂチャンネルリソースを獲得する。
【００６５】
ケース１-５：
ＣＣがＳｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。Ｓｃｅｌｌがそれ自体によりスケジューリングされる場合、ＣＨ_１及びＣＨ_２は、次のように獲得される。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることにより、２個のＰＵＣＣＨ１ａ/１ｂチャンネルリソースを獲得する。
【００６６】
ケース１-６：
ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。Ｓｃｅｌｌがそれ自体によりスケジューリングされる場合、ＣＨ_１、ＣＨ_２、ＣＨ_３、及びＣＨ_４を獲得する方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることにより、４個のＰＵＣＣＨ１ａ/１ｂチャンネルリソースを獲得する。
【００６７】
ケース２：
ＵＥがＴＤＤ動作方式で構成され、ＣＣのダウンリンク関連集合(Downlink  Association  Set：ＤＡＳ)に含まれているエレメントの個数が１である場合、ＵＥは、特定指示情報に従って各ＣＣの最大４個のＰＵＣＣＨ１ａ/１ｂチャンネルリソースを獲得する。
【００６８】
ケース２-１：
ＣＣがＰｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。ＣＨ_１及びＣＨ_２は、ＰＤＳＣＨをスケジューリングするＰＤＣＣＨのＣＣＥインデックスｎ及びｎ＋１によるマッピングにより獲得できる。ここで、ｎは、ＰＤＣＣＨの最低ＣＣＥインデックスである。
【００６９】
ケース２-２：
ＣＣがＰｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。ＣＨ_１及びＣＨ_２は、ＰＤＳＣＨをスケジューリングするＰＤＣＣＨのＣＣＥインデックスｎ及びｎ＋１によるマッピングにより獲得される。ここで、ｎは、ＰＤＣＣＨの最低ＣＣＥインデックスである。ＣＨ_３及びＣＨ_４は、次のような３つの方法のうちいずれか一つを介して獲得することができる。
【００７０】
方法１：ＣＨ_３及びＣＨ_４は、ＣＣのＰＤＳＣＨをスケジューリングするＰＤＣＣＨのＣＣＥインデックスｎ＋２及びｎ＋３によるマッピングにより獲得される。ここで、ｎは、ＰＤＣＣＨの最低ＣＣＥインデックスである。
【００７１】
方法２：上位階層シグナリングによって準静的に２個のＰＵＣＣＨ１ａ/１ｂチャンネルリソースを構成する。
【００７２】
方法３：上位階層シグナリングによって準静的に複数のＰＵＣＣＨ１ａ/１ｂチャンネルリソースを構成し、Ｐｃｅｌｌのデータ送信をスケジューリングするＰＤＣＣＨのＡＲＩによって複数のＨＡＲＱ-ＡＣＫチャンネルをマッピングすることで、２個のＰＵＣＣＨ１ａ/１ｂチャンネルリソースを介して獲得する。特に、ＬＴＥ  Ｒｅｌ-１０で、ＰｃｅｌｌのＰＤＣＣＨがＰｃｅｌｌのＰＤＳＣＨをスケジューリングする場合、ＰＤＣＣＨに含まれている送信電力制御(ＴＰＣ)は、電力制御命令のために使用され、ＡＲＩとして使用することができない。したがって、新たなフィールドがＡＲＩとしてサービスされることが要求される。ＣＡシステムがＴＤＤ送信で構成され、ＣＣのＤＡＳに含まれているエレメントの個数が１と同一である場合、ＰＤＣＣＨのダウンリンク割り当てインデックス(Downlink  Assignment  Index：ＤＡＩ)は、存在するが、使用されない。本発明では、ＤＡＩフィールドがＡＲＩとして使用される。したがって、ＣＨ_３及びＣＨ_４のＰＵＣＣＨ１ａ/１ｂチャンネルリソースは、マッピングを介して獲得できる。具体的な方法は、＜表２＞に示す。
【００７３】
【表２】
2015517275.tif 000004
【００７４】
＜表２＞によれば、ＤＡＩフィールドの値が“０,０”である場合、ＵＥは、上位階層により構成されてＣＨ_３及びＣＨ_４である２個のＰＵＣＣＨリソースを含む第１の集合を使用するように指示される。ＤＡＩフィールドの値が“０,１”である場合、ＵＥは、上位階層により構成されてＣＨ_３及びＣＨ_４である２個のＰＵＣＣＨリソースを含む第２の集合を使用するように指示される。ＤＡＩフィールドの値が“１,０”である場合、ＵＥは、上位階層により構成されてＣＨ_３及びＣＨ_４である２個のＰＵＣＣＨリソースを含む第３の集合を使用するように指示される。ＤＡＩフィールドの値が“１,１”である場合、ＵＥは、上位階層により構成されてＣＨ_３及びＣＨ_４である２個のＰＵＣＣＨリソースを含む第４の集合を使用するように指示される。
【００７５】
方法４：ＣＨ_３及びＣＨ_４を獲得する他の方法は、次の通りである。上位階層シグナリングによって準静的に複数のＰＵＣＣＨ１ａ/１ｂチャンネルリソースを構成し、ＳｃｅｌｌをスケジューリングするＰＤＣＣＨに含まれているＡＲＩによって、複数のＨＡＲＱ-ＡＣＫチャンネルをマッピングすることを介して２個のＰＵＣＣＨ１ａ/１ｂチャンネルリソースを獲得する。
【００７６】
ケース２-３：
ＣＣがＳｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。ＳｃｅｌｌがＰｃｅｌｌによりスケジューリングされるクロスキャリアである場合、ＣＨ_１及びＣＨ_２は、ＰＤＳＣＨをスケジューリングするＰＤＣＣＨのＣＣＥインデックスｎ及びｎ＋１によるマッピングにより獲得される。ここで、ｎは、ＰＤＣＣＨの最低ＣＣＥインデックスである。
【００７７】
ケース２-４：
ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。
【００７８】
ＳｃｅｌｌがＰｃｅｌｌによりスケジューリングされるクロスキャリアである場合、ＣＨ_１及びＣＨ_２は、ＰＤＳＣＨをスケジューリングするＰＤＣＣＨのＣＣＥインデックスｎ及びｎ＋１によるマッピングにより獲得できる。ここで、ｎは、ＰＤＣＣＨの最低ＣＣＥインデックスであり、ＣＨ_３及びＣＨ_４は、次のような３個の方法のうちいずれか一つを介して獲得することができる。
【００７９】
方法１：ＣＨ_３及びＣＨ_４は、ＣＣのＰＤＳＣＨをスケジューリングするＰＤＣＣＨのＣＣＥインデックスｎ＋２及びｎ＋３によりマッピングされる。ここで、ｎは、ＰＤＣＣＨの最低ＣＣＥインデックスである。
【００８０】
方法２：上位階層シグナリングによって準静的に２個のＰＵＣＣＨ１ａ/１ｂチャンネルリソースを構成する。
【００８１】
方法３：上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることで、２個のＰＵＣＣＨ１ａ/１ｂチャンネルリソースを獲得する。
【００８２】
ＳｃｅｌｌがＰｃｅｌｌによりスケジューリングされるクロスキャリアである場合、ＣＨ_１、ＣＨ_２、ＣＨ_３、及びＣＨ_４を獲得する他の方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨのＡＲＩによって複数のＨＡＲＱ-ＡＣＫチャンネルをマッピングすることで、４個のＰＵＣＣＨ１ａ/１ｂチャンネルリソースを獲得する。
【００８３】
ケース２-５：
ＣＣがＳｃｅｌｌであり、ＳＩＭＯ送信モードで構成される場合、ＣＣは、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。Ｓｃｅｌｌがそれ自体によりスケジューリングされる場合、ＣＨ_１及びＣＨ_２は、次のような方法を介して獲得される。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して、２個のＰＵＣＣＨ１ａ/１ｂチャンネルリソースを獲得する。
【００８４】
ケース２-６：
ＣＣがＳｃｅｌｌであり、ＭＩＭＯ送信モードで構成される場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。Ｓｃｅｌｌがそれ自体によりスケジューリングされる場合、ＣＨ_１、ＣＨ_２、ＣＨ_３、及びＣＨ_４は、次のような方法を介して獲得される。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩにより複数のＨＡＲＱ-ＡＣＫチャンネルをマッピングすることを介して４個のＰＵＣＣＨ１ａ/１ｂチャンネルリソースを獲得する。
【００８５】
Ｐｃｅｌｌがケース１-１又はケース２-１に属し、Ｓｃｅｌｌがケース１-３、１-５、２-３、及び２-５のうちいずれか一つに属する場合、ＵＥは、＜表３＞に示すように、ＣＨ_１リソースを用いてアンテナ０でＨＡＲＱ-ＡＣＫフィードバック情報を送信し、ＣＨ_２リソースを用いてアンテナ１でＨＡＲＱ-ＡＣＫフィードバック情報を反復して送信する。
【００８６】
＜表３＞：チャンネル選択及びＳＯＲＴＤ送信ダイバーシティをサポートするチャンネルリソースマッピング表
【００８７】
【表３】
2015517275.tif 000005
【００８８】
Ｐｃｅｌｌがケース１-２又はケース２-２に属し、Ｓｃｅｌｌがケース１-４、１-６、２-４、及び２-６のうちいずれか一つに属する場合、ｃｈ_ａ、ｃｈ_ｂ、ｃｈ_ｃ、ｃｈ_ｄは、ＳＯＲＴＤが採用されない場合、チャンネル選択中に使用されるチャンネルであると仮定する。
【００８９】
その後、チャンネル選択及びＳＯＲＴＤ送信ダイバーシティをサポートするチャンネルリソースマッピング方式は、次の通りである。
【００９０】
ＵＥは、＜表４＞に示すように、ＣＨ_１及びＣＨ_３を用いてアンテナ０でＨＡＲＱ-ＡＣＫフィードバック情報を送信し、ＣＨ_２及びＣＨ_４を用いてアンテナ１でＨＡＲＱ-ＡＣＫフィードバック情報を反復して送信する。
【００９１】
＜表４＞：チャンネル選択及びＳＯＲＴＤ送信ダイバーシティをサポートするチャンネルリソースマッピング表
【００９２】
【表４】
2015517275.tif 000006
【００９３】
チャンネル選択及びＳＯＲＴＤ送信ダイバーシティをサポートする他のチャンネルリソースマッピング方法は、次の通りである。
【００９４】
ＵＥは、＜表５＞に示すように、ＣＨ_１及びＣＨ_２を用いてアンテナ０でＨＡＲＱ-ＡＣＫフィードバック情報を送信し、ＣＨ_３及びＣＨ_４を用いてアンテナ１でＨＡＲＱ-ＡＣＫフィードバック情報を反復して送信する。
【００９５】
＜表５＞：チャンネル選択及びＳＯＲＴＤ送信ダイバーシティをサポートするチャンネルリソースマッピング表
【００９６】
【表５】
2015517275.tif 000007
【００９７】
チャンネル選択及びＳＯＲＴＤ送信ダイバーシティをサポートする他のチャンネルリソースマッピング方法は、次の通りである。
【００９８】
ＵＥは、＜表６＞に示すように、ＣＨ_１及びＣＨ_３を用いてアンテナ０でＨＡＲＱ-ＡＣＫフィードバック情報を送信し、ＣＨ_２及びＣＨ_４を用いてアンテナ１でＨＡＲＱ-ＡＣＫフィードバック情報を反復して送信する。
【００９９】
＜表６＞：チャンネル選択及びＳＯＲＴＤ送信ダイバーシティをサポートするチャンネルリソースマッピング表
【０１００】
【表６】
2015517275.tif 000008
【０１０１】
Ｐｃｅｌｌがケース１-１又はケース２-１に属し、Ｓｃｅｌｌがケース１-４、１-６、２-４、及び２-６のうちいずれか一つに属する場合、Ｐｃｅｌｌは、Ｃｅｌｌ_２と称され、ＳｃｅｌｌはＣｅｌｌ_１と称される。Ｐｃｅｌｌがケース１-２又はケース２-２に属し、Ｓｃｅｌｌがケース１-３、１-５、２-３、及び２-５のうちいずれか一つに属する場合、ＰｃｅｌｌはＣｅｌｌ_１と称され、ＳｃｅｌｌはＣｅｌｌ_２と称される。このとき、＜表７＞〜＜表９＞に示すように、チャンネル選択及びＳＯＲＴＤ送信ダイバーシティをサポートする次のような３つの種類のチャンネルリソースマッピング方法が存在する。
【０１０２】
特に、チャンネル選択及びＳＯＲＴＤ送信ダイバーシティをサポートする一つのチャンネルリソースマッピング方法は、次のようである。
【０１０３】
ＵＥは、＜表７＞に示すように、ＣＨ_１及びＣＨ_３を用いてアンテナ０でＨＡＲＱ-ＡＣＫフィードバック情報を送信し、ＣＨ_２及びＣＨ_４を用いてアンテナ１でＨＡＲＱ-ＡＣＫフィードバック情報を反復して送信する。
【０１０４】
＜表７＞：チャンネル選択及びＳＯＲＴＤ送信ダイバーシティをサポートするチャンネルリソースマッピング表
【０１０５】
【表７】
2015517275.tif 000009
【０１０６】
チャンネル選択及びＳＯＲＴＤ送信ダイバーシティをサポートする他のチャンネルリソースマッピング方法は、次の通りである。
【０１０７】
ＵＥは、＜表８＞に示すように、ＣＨ_１及びＣＨ_２を用いてアンテナ０でＨＡＲＱ-ＡＣＫフィードバック情報を送信し、ＣＨ_３及びＣＨ_４を用いてアンテナ１でＨＡＲＱ-ＡＣＫフィードバック情報を反復して送信する。
【０１０８】
＜表８＞：チャンネル選択及びＳＯＲＴＤ送信ダイバーシティをサポートするチャンネルリソースマッピング表
【０１０９】
【表８】
2015517275.tif 000010
【０１１０】
チャンネル選択及びＳＯＲＴＤ送信ダイバーシティをサポートする他のチャンネルリソースマッピング方法は、次の通りである。
【０１１１】
ＵＥは、＜表９＞に示すように、ＣＨ_１及びＣＨ_３を用いてアンテナ０でＨＡＲＱ-ＡＣＫフィードバック情報を送信し、ＣＨ_２及びＣＨ_４を用いてアンテナ１でＨＡＲＱ-ＡＣＫフィードバック情報を反復して送信する。
【０１１２】
＜表９＞：チャンネル選択及びＳＯＲＴＤ送信ダイバーシティをサポートするチャンネルリソースマッピング表
【０１１３】
【表９】
2015517275.tif 000011
【０１１４】
ケース３：
ＵＥがＴＤＤ動作方式で構成され、ＣＣのＤＡＳに含まれているエレメントの個数が２である場合、ＵＥは、特定指示情報によって各ＣＣの最大４個のＰＵＣＣＨ１ａ/１ｂチャンネルリソースを獲得する。
【０１１５】
ケース３-１：
ＣＣがＰｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。サブフレーム０及び１は、各々２個のＰＵＣＣＨ１ａ/１ｂチャンネルリソースを提供する。半永久的スケジューリング(Semi-Persistent  Scheduling：ＳＰＳ)サービスがサブフレームで構成されない場合、ＣＨ_１のＨＡＲＱ-ＡＣＫリソースは、ＰＤＳＣＨをスケジューリングするサブフレーム０のＰＤＣＣＨの最低ＣＣＥインデックスｎによって決定され、ＣＨ_２のＨＡＲＱ-ＡＣＫリソースは、ＰＤＳＣＨをスケジューリングするサブフレーム０のＰＤＣＣＨのＣＣＥインデックスｎ＋１によって決定され、ＣＨ_３のＨＡＲＱ-ＡＣＫリソースは、ＰＤＳＣＨをスケジューリングするサブフレーム１のＰＤＣＣＨの最低ＣＣＥインデックスｍにより決定され、ＣＨ_４のＨＡＲＱ-ＡＣＫリソースは、ＰＤＳＣＨをスケジューリングするサブフレーム１のＰＤＣＣＨのＣＣＥインデックスｍ＋１により決定される。ＳＰＳサービスがサブフレームで構成される場合、サブフレームにより必要とされる２個のＰＵＣＣＨ１ａ/１ｂチャンネルリソースは、上位階層シグナリングによって準静的に構成される２個のＨＡＲＱ-ＡＣＫリソースである。
【０１１６】
ケース３-２：
ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。サブフレーム０及びサブフレーム１は、各々２個のＰＵＣＣＨ１ａ/１ｂチャンネルリソースを提供する。ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするサブフレーム０のＰＤＣＣＨの最低ＣＣＥインデックスｎによって決定され、ＣＨ_２のＨＡＲＱ-ＡＣＫリソースは、ＰＤＳＣＨをスケジューリングするサブフレーム０のＰＤＣＣＨのＣＣＥインデックスｎ＋１により決定され、ＣＨ_３のＨＡＲＱ-ＡＣＫリソースは、ＰＤＳＣＨをスケジューリングするサブフレーム１のＰＤＣＣＨの最低ＣＣＥインデックスｍによって決定され、ＣＨ_４のＨＡＲＱ-ＡＣＫリソースは、ＰＤＳＣＨをスケジューリングするサブフレーム１のＰＤＣＣＨのＣＣＥインデックスｍ＋１により決定される。
【０１１７】
ケース３-３：
ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。Ｓｃｅｌｌがそれ自体によりスケジューリングされる場合、ＣＨ_１、ＣＨ_２、ＣＨ_３、及びＣＨ_４を獲得する方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることによって、４個のＰＵＣＣＨ１ａ/１ｂチャンネルリソースを獲得する。
【０１１８】
ケース４：
ＵＥがＴＤＤ動作方式で構成され、ＣＣのＤＳＡに含まれているエレメントの個数が３又は４である場合、ＵＥは、特定指示情報に従って各ＣＣの最大４個のＰＵＣＣＨ１ａ/１ｂチャンネルリソースを獲得する。
【０１１９】
ケース４-１：
ＣＣがＰｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。
【０１２０】
ＳＰＳサービスがセルで構成されない場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎによって決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１によって決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍによって決定され、ＣＨ_４のＨＡＲＱ-ＡＣＫリソースはＰＤＳＣＨをスケジューリングするＤＡＩ＝２を有するサブフレームのＰＤＣＣＨのＣＣＥインデックスｍ＋１によって決定される。
【０１２１】
ＳＰＳサービスがサブフレームで構成される場合、２個のＨＡＲＱ-ＡＣＫリソースは、ＳＰＳサービスに対する上位階層によって準静的に構成される。ＣＨ_１は、ＳＰＳサービスに対して上位階層によって準静的に構成された第１のＨＡＲＱ-ＡＣＫリソースであり、ＣＨ_２はＳＰＳサービスに対して上位階層によって準静的に構成された第２のＨＡＲＱ-ＡＣＫリソースである。ＣＨ_３のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_４のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定される。
【０１２２】
ケース４-２：
ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、ＰＤＳＣＨをスケジューリングするＤＡＩ＝２を有するサブフレームのＰＤＣＣＨのＣＣＥインデックスｍ＋１により決定される。
【０１２３】
ケース４-３：
ＣＣがＳｃｅｌｌである場合、ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。Ｓｃｅｌｌがそれ自体によりスケジューリングされる場合、ＣＨ_１、ＣＨ_２、ＣＨ_３、及びＣＨ_４を獲得する方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることで、４個のＰＵＣＣＨ１ａ/１ｂチャンネルリソースを獲得する。
【０１２４】
Ｐｃｅｌｌがケース３-１又はケース４-１に属し、Ｓｃｅｌｌがケース３-２、３-３、４-２、及び４-３のうちいずれか一つに属する場合、＜表３＞に示すように、ＵＥは、ＣＨ_１を用いてアンテナ０でＨＡＲＱ-ＡＣＫフィードバック情報を送信し、ＣＨ_２を用いてアンテナ１でＨＡＲＱ-ＡＣＫフィードバック情報を反復して送信する。
【０１２５】
上記したケース以外のケースで、ｃｈ_ａ、ｃｈ_ｂ、ｃｈ_ｃ、及びｃｈ_ｄは、ＳＯＲＴＤが使用されない場合、チャンネル選択中に使用されるチャンネルであると仮定する。その後、ＵＥは、＜表１０＞に示すように、ＣＨ_１及びＣＨ_３を用いてアンテナ０でＨＡＲＱ-ＡＣＫフィードバック情報を送信し、ＣＨ_２及びＣＨ_４を用いてアンテナ１でＨＡＲＱ-ＡＣＫフィードバック情報を反復して送信する。
【０１２６】
＜表１０＞：チャンネル選択及びＳＯＲＴＤ送信ダイバーシティをサポートするチャンネルリソースマッピング表
【０１２７】
【表１０】
2015517275.tif 000012
【０１２８】
以下、本発明は、いくつかの実施形態を参照してより具体的に説明される。
【０１２９】
＜実施形態１＞
ＵＥがＴＤＤで構成され、ＤＡＳに含まれているエレメントの個数が１であると仮定する。ＵＥが２個のＣＣで構成され、これらは、各々基本ＣＣと補助ＣＣである。補助ＣＣのＰＤＳＣＨが基本ＣＣのＰＤＣＣＨによりスケジューリングされるクロスキャリアである。基本ＣＣは、ＭＩＭＯ送信モードで構成され、補助ＣＣは、ＭＩＭＯ送信モードで構成される。ＨＡＲＱ-ＡＣＫフィードバック情報は、チャンネル選択を有するＰＵＣＣＨフォーマット１ｂを用いて送信され、ＳＯＲＴＤ送信ダイバーシティ技術が採用される。
【０１３０】
このとき、基本ＣＣは、ケース２-２に属する。基本ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。ＣＨ_１及びＣＨ_２は、ＰＤＳＣＨをスケジューリングするＰＤＣＣＨのＣＣＥインデックスｎ及びｎ＋１によるマッピングにより獲得される。ＣＨ_３及びＣＨ_４は、次のような方法を介して獲得される。上位階層シグナリングにより複数のＰＵＣＣＨ１ａ/１ｂチャンネルリソースを準静的に構成し、Ｐｃｅｌｌのデータ送信をスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得する。例えば、Ｐｃｅｌｌのデータ送信をスケジューリングするＰＤＣＣＨに含まれているＡＲＩは、ＤＡＩを再定義することを介して獲得できる。このとき、ＤＡＳのエレメントの個数が１であるため、ＰＤＳＣＨをスケジューリングするＰＤＣＣＨに含まれているＤＡＩフィールドは、使用されず、再定義することによって、ＡＲＩとして使用され得る。
【０１３１】
補助ＣＣは、上記ケース２-４に属する。補助ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。ＣＨ_１及びＣＨ_２は、補助ＣＣのＰＤＳＣＨをスケジューリングする基本ＣＣのＰＤＣＣＨのＣＣＥインデックスｎ及びｎ＋１によるマッピングにより獲得される。ＣＨ_３及びＣＨ_４は、次のような方法を介して獲得される。上位階層シグナリングにより複数のＰＵＣＣＨ１ａ/１ｂチャンネルリソースを準静的に構成し、Ｓｃｅｌｌのデータ送信をスケジューリングするＰｃｅｌｌのＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得する。
【０１３２】
この実施形態では、ＰＵＣＣＨ１ａ/１ｂチャンネルリソースマッピング関係が＜表１１＞に示される。
【０１３３】
＜表１１＞：ＰＵＣＣＨリソースマッピング関係(Ａ＝４)
【０１３４】
【表１１】
2015517275.tif 000013
【０１３５】
＜実施形態２＞
ＵＥがＴＤＤ動作方式で構成され、ＤＡＳに含まれているエレメントの個数が１であると仮定する。ＵＥが２個のＣＣで構成され、これらＣＣの各々は、基本ＣＣと補助ＣＣである。補助ＣＣのＰＤＳＣＨは、基本ＣＣのＰＤＣＣＨによりスケジューリングされるクロスキャリアである。基本ＣＣは、ＳＩＭＯ送信モードで構成され、補助ＣＣは、ＳＩＭＯ送信モードで構成される。ＨＡＲＱ-ＡＣＫフィードバック情報は、チャンネル選択を有するＰＵＣＣＨフォーマット１ｂを用いて送信され、ＳＯＲＴＤ送信ダイバーシティ技術が採用される。
【０１３６】
このとき、基本ＣＣは、ケース２-１に属し、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。ＣＨ_１及びＣＨ_２は、ＰＤＳＣＨをスケジューリングするＰＤＣＣＨのＣＣＥインデックスｎ及びｎ＋１によるマッピングに従って獲得される。
【０１３７】
補助ＣＣは、ケース２-３に属し、ＨＡＲＱ-ＡＣＫフィードバック情報を送信するために、ＣＨ_１及びＣＨ_２で表示される２個のＰＵＣＣＨ１ａ/１ｂチャンネルリソースを必要とする。ＣＨ_１及びＣＨ_２は、補助ＣＣのＰＤＳＣＨをスケジューリングする基本ＣＣのＰＤＣＣＨのＣＣＥインデックスｎ及びｎ＋１によるマッピングにより獲得される
。
【０１３８】
この実施形態において、ＰＵＣＣＨ１ａ/１ｂチャンネルリソースマッピング関係は、＜表１２＞に示される。
【０１３９】
＜表１２＞：ＰＵＣＣＨリソースマッピング関係(Ａ＝２)
【０１４０】
【表１２】
2015517275.tif 000014
【０１４１】
＜実施形態３＞
ＵＥがＴＤＤで構成され、ＤＡＳに含まれているエレメントの個数が１であると仮定する。ＵＥが２個のＣＣで構成され、これらＣＣの各々は、基本ＣＣと補助ＣＣである。補助ＣＣのＰＤＳＣＨは、補助ＣＣのＰＤＣＣＨによりスケジューリングされる。基本ＣＣは、ＭＩＭＯ送信モードで構成され、補助ＣＣは、ＳＩＭＯ送信モードで構成される。ＨＡＲＱ-ＡＣＫフィードバック情報は、チャンネル選択を有するＰＵＣＣＨフォーマット１ｂを用いて送信され、ＳＯＲＴＤ送信ダイバーシティ技術が採用される。
【０１４２】
このとき、基本ＣＣは、ケース２-２に属し、基本ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。ＣＨ_１及びＣＨ_２は、ＰＤＳＣＨをスケジューリングするＰＤＣＣＨのＣＣＥインデックスｎ及びｎ＋１によるマッピングにより獲得される。ＣＨ_３及びＣＨ_４を獲得する方法は、次の通りである。上位階層シグナリングにより複数のＰＵＣＣＨ１ａ/１ｂチャンネルリソースを準静的に構成し、Ｐｃｅｌｌのデータ送信をスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得する。例えば、Ｐｃｅｌｌのデータ送信をスケジューリングするＰＤＣＣＨに含まれているＡＲＩは、ＤＡＩを再定義することを介して獲得できる。このとき、ＤＡＳのエレメントの個数が１であるため、ＰＤＳＣＨをスケジューリングするＰＤＣＣＨに含まれているＤＡＩは定義されない。したがって、ＤＡＩフィールドは、ＡＲＩで使用されるように再定義することができる。
【０１４３】
補助ＣＣは、ケース２-５に属し、ＨＡＲＱ-ＡＣＫフィードバック情報を送信するために、ＣＨ_１及びＣＨ_２で表示される２個のＰＵＣＣＨ１ａ/１ｂチャンネルを必要とする。ＣＨ_１及びＣＨ_２は、次のように獲得される。上位階層シグナリングにより複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して２個のＰＵＣＣＨ１ａ/１ｂチャンネルリソースを獲得する。
【０１４４】
この実施形態において、ＰＵＣＣＨ１ａ/１ｂチャンネルリソースマッピング関係は、＜表１３＞に示される。
【０１４５】
＜表１３＞：ＰＵＣＣＨリソースマッピング関係(Ａ＝３)
【０１４６】
【表１３】
2015517275.tif 000015
【０１４７】
この実施形態では、基本ＣＣがＳＩＭＯ送信モードで構成され、補助ＣＣがＭＩＭＯ送信モードで構成される場合、ＰＵＣＣＨ１ａ/１ｂチャンネルリソースマッピング関係は、＜表１４＞に示される。
【０１４８】
＜表１４＞：ＰＵＣＣＨリソースマッピング関係(Ａ＝３)
【０１４９】
【表１４】
2015517275.tif 000016
【０１５０】
＜実施形態４＞
ＵＥがＴＤＤで構成され、ＤＡＳに含まれているエレメントの個数が２であると仮定する。ＨＡＲＱ-ＡＣＫフィードバック情報は、チャンネル選択を有するＰＵＣＣＨフォーマット１ｂを用いて送信され、ＳＯＲＴＤ送信ダイバーシティ技術が採用される。
【０１５１】
基本ＣＣは、ＭＩＭＯ送信モードで構成され、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。サブフレーム０及び１は、各々２個のＰＵＣＣＨ１ａ/１ｂチャンネルリソースを提供する。ＳＰＳサービスがサブフレームで構成されない場合、ＣＨ_１のＨＡＲＱ-ＡＣＫリソースは、ＰＤＳＣＨをスケジューリングするサブフレーム０のＰＤＣＣＨの最低ＣＣＥインデックスｎにより決定され、ＣＨ_２のＨＡＲＱ-ＡＣＫリソースは、ＰＤＳＣＨをスケジューリングするサブフレーム０のＰＤＣＣＨのＣＣＥインデックスｎ＋１により決定され、ＣＨ_３のＨＡＲＱ-ＡＣＫリソースは、ＰＤＳＣＨをスケジューリングするサブフレーム１のＰＤＣＣＨの最低ＣＣＥインデックスｍにより決定され、ＣＨ_４のＨＡＲＱ-ＡＣＫリソースは、ＰＤＳＣＨをスケジューリングするサブフレーム１のＰＤＣＣＨのＣＣＥインデックスｍ＋１により決定される。ＳＰＳサービスがサブフレームで構成される場合、サブフレームにより要求される２個のＰＵＣＣＨ１ａ/１ｂチャンネルリソースは、上位階層シグナリングによって準静的に構成される２個のＨＡＲＱ-ＡＣＫリソースである。
【０１５２】
補助ＣＣは、ＭＩＭＯ送信モードで構成される。ＨＡＲＱ-ＡＣＫフィードバック情報を送信するために、チャンネル選択を有するＰＵＣＣＨフォーマット１ｂが採用され、ＳＯＲＴＤ送信ダイバーシティが採用される。補助ＣＣは、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースを必要とする。サブフレーム０及び１は、各々２個のＰＵＣＣＨ１ａ/１ｂチャンネルリソースを提供する。ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするサブフレーム０のＰＤＣＣＨの最低ＣＣＥインデックスｎにより決定され、ＣＨ_２のＨＡＲＱ-ＡＣＫリソースは、ＰＤＳＣＨをスケジューリングするサブフレーム０のＰＤＣＣＨのＣＣＥインデックスｎ＋１により決定され、ＣＨ_３のＨＡＲＱ-ＡＣＫリソースは、ＰＤＳＣＨをスケジューリングするサブフレーム１のＰＤＣＣＨの最低ＣＣＥインデックスｍにより決定され、ＣＨ_４のＨＡＲＱ-ＡＣＫリソースは、ＰＤＳＣＨをスケジューリングするサブフレーム１のＰＤＣＣＨのＣＣＥインデックスｍ＋１により決定される。
【０１５３】
Ｓｃｅｌｌがそれ自体によりスケジューリングされる場合、ＣＨ_１、ＣＨ_２、ＣＨ_３、及びＣＨ_４を獲得する方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して４個のＰＵＣＣＨ１ａ/１ｂチャンネルリソースを獲得する。
【０１５４】
この実施形態では、ＰＵＣＣＨ１ａ/１ｂチャンネルリソースマッピング関係が＜表１５＞に示される。
【０１５５】
＜表１５＞：ＰＵＣＣＨリソースマッピング関係(Ｍ＝２)
【０１５６】
【表１５】
2015517275.tif 000017
【０１５７】
＜実施形態５＞
ＵＥがＴＤＤ動作方式で構成され、ＤＡＳに含まれているエレメントの個数が３又は４であると仮定する。ＨＡＲＱ-ＡＣＫフィードバック情報は、チャンネル選択を有するＰＵＣＣＨフォーマット１ｂを用いて送信され、ＳＯＲＴＤ送信ダイバーシティ技術が採用される。
【０１５８】
基本ＣＣに対しては、ＨＡＲＱ-ＡＣＫフィードバック情報を送信するためにＣＨ_１、ＣＨ_２、ＣＨ_３、及びＣＨ_４で表示される４個のＰＵＣＣＨ１ａ/１ｂチャンネルリソースが要求される。ＳＰＳサービスが一つのセルで構成されない場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍにより決定され、ＣＨ_４のＨＡＲＱ-ＡＣＫリソースは、ＰＤＳＣＨをスケジューリングするＤＡＩ＝２を有するサブフレームのＰＤＣＣＨのＣＣＥインデックスｍ＋１により決定される。ＳＰＳサービスがサブフレームで構成される場合、２個のＨＡＲＱ-ＡＣＫリソースは、ＳＰＳサービスに対して上位階層によって準静的に構成される。ここで、ＣＨ_１は、ＳＰＳサービスに対して上位階層によって準静的に構成される第１のＨＡＲＱ-ＡＣＫリソースであり、ＣＨ_２は、ＳＰＳサービスに対して上位階層によって準静的に構成される第１のＨＡＲＱ-ＡＣＫリソースのＨＡＲＱ-ＡＣＫリソースであり、ＣＨ_３のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_４のＨＡＲＱ-ＡＣＫリソースは、ＰＤＳＣＨをスケジューリングするＤＡＩ＝１を有するサブフレームのＰＤＣＣＨのＣＣＥインデックスｎ＋１により決定される。
【０１５９】
補助ＣＣに対して、ＨＡＲＱ-ＡＣＫフィードバック情報を送信するために、ＣＨ_１、ＣＨ_２、ＣＨ_３、及びＣＨ_４で表示される４個のＰＵＣＣＨ１ａ/１ｂチャンネルリソースが要求される。ＳｃｅｌｌのＰＤＳＣＨがＰｃｅｌｌのＰＤＣＣＨによりスケジューリングされるクロスキャリアである場合、ＣＨ_１のＨＡＲＱ-ＡＣＫリソースは、ＰＤＳＣＨをスケジューリングするＤＡＩ＝１を有するサブフレームのＰＤＣＣＨの最低ＣＣＥインデックスｎにより決定され、ＣＨ_２のＨＡＲＱ-ＡＣＫリソースは、ＰＤＳＣＨをスケジューリングするＤＡＩ＝１を有するサブフレームのＰＤＣＣＨのＣＣＥインデックスｎ＋１によって決定され、ＣＨ_３のＨＡＲＱ-ＡＣＫリソースは、ＰＤＳＣＨをスケジューリングするＤＡＩ＝２を有するサブフレームのＰＤＣＣＨの最低ＣＣＥインデックスｍによって決定され、ＣＨ_４のＨＡＲＱ-ＡＣＫリソースは、ＰＤＳＣＨをスケジューリングするＤＡＩ＝２を有するサブフレームのＰＤＣＣＨのＣＣＥインデックスｍ＋１によって決定される。ここで、ＰＤＳＣＨをスケジューリングするＤＡＩ＝１を有するサブフレームのＰＤＣＣＨの最低インデックスは、ＰＤＳＣＨをスケジューリングするＤＡＩ＝２を有するサブフレームのＰＤＣＣＨの最低ＣＣＥインデックスｎで表示される。
【０１６０】
Ｓｃｅｌｌがそれ自体によりスケジューリングされる場合、ＣＨ_１、ＣＨ_２、ＣＨ_３、及びＣＨ_４を獲得する方法は、次の通りである。上位階層シグナリングによって準静的に複数のＰＵＣＣＨ１ａ/１ｂチャンネルリソースを構成し、ＳｃｅｌｌのＰＤＳＣＨをスケジューリングするＰＤＣＣＨに含まれているＡＲＩによって複数のＨＡＲＱ-ＡＣＫチャンネルをマッピングすることを介して、４個のＰＵＣＣＨ１ａ/１ｂチャンネルリソースを獲得する。
【０１６１】
この実施形態において、ＰＵＣＣＨ１ａ/１ｂチャンネルリソースマッピング関係が＜表１６＞に示される。
【０１６２】
＜表１６＞：ＰＵＣＣＨリソースマッピング関係(Ｍ＝３,４)
【０１６３】
【表１６】
2015517275.tif 000018
【０１６４】
上記の技術的解決方式から、本発明の実施形態により提供されるＨＡＲＱ-ＡＣＫチャンネルリソースを割り当てる方法によれば、チャンネル選択及びＳＯＲＴＤ技術がサポートされる前提で、ＵＥに適度にＨＡＲＱ-ＡＣＫチャンネルリソースを割り当て、チャンネルリソースの浪費を避けることが可能であることがわかる。
【０１６５】
図４は、本発明の望ましい一実施形態によるＵＥ装置を示す。
【０１６６】
図４を参照すれば、ＵＥは、送信部４００と、受信部４１０と、制御器４２０とを含む。送信部４００及び受信部４１０は、各々本発明の望ましい一実施形態により、Ｎｏｄｅ Ｂと通信する送信モジュール及び受信モジュールを含む。受信部４１０は、Ｎｏｄｅ Ｂからの２個のＣＣを介して基地局からＰＤＣＣＨ情報及びＰＤＳＣＨデータを受信する。
【０１６７】
制御器４２０は、特定指示情報により、送信ダイバーシティ技術を使用してＨＡＲＱ-ＡＣＫフィードバック情報を送信するために必要とされるＰＵＣＣＨチャンネルリソースを獲得する。
【０１６８】
送信ユニット４００は、送信ダイバーシティ技術を採用して獲得されたＰＵＣＣＨチャンネルリソースでＨＡＲＱ-ＡＣＫフィードバック情報を送信する。
【０１６９】
図５は、本発明の望ましい一実施形態によるＮｏｄｅ Ｂ装置を示す。
【０１７０】
図５を参照すれば、Ｎｏｄｅ Ｂは、送信部５００と、受信部５１０と、制御器５２０とを含む。送信部５００及び受信部５１０は、各々本発明の望ましい一実施形態により、ＵＥと通信する送信モジュール及び受信モジュールを含む。例えば、送信部５００は、Ｎｏｄｅ Ｂからの２個のＣＣを介して基地局からのＰＤＣＣＨ情報及びＰＤＳＣＨデータを送信する。
【０１７１】
制御器５２０は、本発明の望ましい一実施形態による図３に基づいてＮｏｄｅ Ｂの動作を遂行する。
【０１７２】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【０１７３】
４００  送信部
４１０  受信部
４２０  制御器
５００  送信部
５１０  受信部
５２０  制御器
【図１】
2015517275.tif 000020
【図２】
2015517275.tif 000021
【図３】
2015517275.tif 000022
【図４】
2015517275.tif 000023
【図５】
2015517275.tif 000024
【国際調査報告】
2015517275.tif 000025
2015517275.tif 000026